(57)【要約】【課題】綿帽子を備えたキバナノバラモンジンのドライフラワーを提供する。【解決手段】キバナノバラモンジン１の花茎１１の先端部の床の部分３３に多数の種子３１が付き、その種子３１に繋がった綿毛３２が外部に広がっている。その茎１１の先端部１２の床の部分３３を種子３１の一部と共に液状の接着剤５０により固め、床の部分３３と種子３１とを固定する。これにより、綿毛３２が床の部分３３から離脱することを防止できるので、綿帽子３５の状態が安定したドライフラワーを提供できる。【選択図】図３
0003125118.tif 000002
【実用新案登録請求の範囲】
【請求項１】
キク科の植物のドライフラワーであって、茎の先端部の床の部分に多数の種子が付き、それらの種子に繋がった綿毛が外部に広がった状態の綿帽子を有し、前記床の部分が、前記種子の少なくとも一部と共に接着剤により固められている、ドライフラワー。
【請求項２】
キク科の植物のドライフラワーであって、茎の先端部の床の部分に多数の種子が付き、それらの種子に繋がった綿毛が外部に広がった状態の綿帽子を有し、前記床の部分が、前記床の部分に注入された接着剤により固められており、その接着剤により前記種子の少なくとも一部が前記床の部分とともに固められている、ドライフラワー。
【請求項３】
請求項１または２において、前記キク科の植物は、キバナノバラモンジンである、ドライフラワー。
【請求項４】
請求項１ないし３のいずれかに記載のドライフラワーを含む装飾体。
【考案の詳細な説明】
【技術分野】
【０００１】
本考案は、ドライフラワーに関するものである。
【背景技術】
【０００２】
キク科の植物の中には、種子が成長すると、種子を包む果実に相当する部分に綿毛（冠毛）が付き、綿毛がほぼ球状に広がった綿帽子と称される部分が茎（花茎）の先端に形成されるものがある。そして、風が吹くと綿毛に繋がった種子が飛散する。そのような植物の代表的なものはタンポポである。キバナノバラモンジン（キバナザキバラモンジン、バラモンギク）もキク科の植物であり、綿帽子を備えている。キバナノバラモンジンの綿帽子は、タンポポの２〜３倍の直径、例えば１０ｃｍ前後の大きな球状に広がった綿毛により形成されている。キバナノバラモンジンは、欧州原産の帰化植物であり、高さは１〜１．５ｍほどであって、５〜６月頃、長く伸びた茎の先に直径３ｃｍほどの黄色の花をつける。花の後、しばらくするとタンポポに似ているが２〜３倍も大きな綿毛が球状になった綿帽子を付け、風が吹くと大きな綿毛が綿帽子から離脱して飛散していく。
【特許文献１】実用新案登録第３１１１２８５号公報
【考案の開示】
【考案が解決しようとする課題】
【０００３】
ドライフラワーは、一般に、自然の色や姿を保存したまま乾燥させた植物を意味し、花を主体とする。ドライフラワーには、さらに、茎・葉、さらには果実をも含めて乾燥させた植物が含まれる。綿帽子を含む植物をドライフラワーとして保存しようとしても、綿毛の飛散を抑制することは難しい。例えば、綿帽子に硬化樹脂をスプレーすることによりドライフラワーとして保存しようとしても、綿毛の飛散を抑制することは難しく、逆に、綿帽子の柔らかい雰囲気あるいは感触が失われたり、複数の種に付いた綿毛が一体となってしまうために多くの綿毛が一度に離れて綿帽子が崩れる要因になる。
【０００４】
綿毛の離脱を防止する１つの方法は、特許文献１に記載されているような観賞用の箱に綿帽子を含めたドライフラワーを入れて保存することである。しかしながら、観賞用の箱に入れたのでは、風が吹いて綿毛がなびくような綿帽子の動きや雰囲気を楽しむことは到底不可能である。また、観賞用の箱に入れたとしても、箱を動かしたり、何らかの衝撃が箱に加わると、綿毛は容易に飛散するので、綿帽子をそのままの形状で保存することは難しい。
【課題を解決するための手段】
【０００５】
本考案の一態様は、キク科の植物のドライフラワーであって、茎の先端部の床の部分に多数の種子が付き、それらの種子に繋がった綿毛が外部に広がった状態の綿帽子を有し、床の部分が、種子の少なくとも一部と共に接着剤により固められている、ドライフラワーである。典型的には、キク科の植物が、キバナノバラモンジンである、ドライフラワーである。
【０００６】
本考案の他の態様の一つは、キク科の植物のドライフラワーであって、茎の先端部の床の部分に多数の種子が付き、それらの種子に繋がった綿毛が外部に広がった状態の綿帽子を有し、床の部分が、床の部分に注入された接着剤により固められており、その接着剤により種子の少なくとも一部が床の部分とともに固められている、ドライフラワーである。
【０００７】
これらのドライフラワーにおいては、接着剤により種子が茎の先端部の床の部分に固定される。したがって、種子に付いた綿毛は、種子を介して植物本体に固定され、植物本体から離脱することを防止できる。このため、箱などに入れなくても、また、少々の風が吹いたような状況では、綿毛が飛散しないので、植物本体に綿毛が付いた状態、あるいは綿帽子のようになった状態を長期間にわたり保存できる。しかも、綿毛が露出した状態で保存できるので、綿毛の柔らかい雰囲気を目で見て、また、手で触って楽しむことも可能となる。
【０００８】
さらに、自然界では、風が吹くと綿毛が飛散して綿帽子が崩れてしまうが、このドライフラワーであれば、少々の風では綿毛が飛散しないので、綿帽子が風などで揺らぐ様子を楽しむことも可能となる。したがって、このドライフラワーを含めた装飾体、例えば、ブーケ、壁掛け、飾り玉、コサージュなどで綿毛を楽しむことができる。
【考案を実施するための最良の形態】
【０００９】
図１に、綿帽子を含むキバナノバラモンジンのドライフラワーを複数集めた装飾体を写真により示している。この写真には、４本の茎の先端に４つの綿帽子がそれぞれ付いており、茎の先端部の床の部分が、種子の一部と共に接着剤により固められている。このため、それらの種子に繋がった綿毛は飛散せず、綿毛が外部に広がった状態の綿帽子を長期間にわたりドライフラワーとして、また、装飾体として保存できる。
【００１０】
図２に、キバナノバラモンジンの花の概略構造を模式的に示している。キバナノバラモンジン１は、花茎１１の先端１２に多数の小花１３が集合した頭状の花（頭状花序、頭状花）１０を備えている。花茎１１の先端部１２は、略平らな花床２０になっており、その表面に多数の小花１３が並び、それらを総苞片２１と称される、がくのような構造が囲んでいる。小花１３は、花冠１４を備え、花冠１４と子房１５との付け根に冠毛１６と称される毛を備えている。
【００１１】
図３に、キバナノバラモンジン１の花びら（花冠）１４が枯れ、子房が成熟して種（実）３１になり、冠毛３２が外部に広がり綿毛のようになった状態を模式的に示している。キバナノバラモンジン１はキク科の植物であり、被子植物である。したがって、種３１は実（果実）で覆われており、その先に冠毛３２が繋がり、冠毛３２が広がる。すなわち、種３１が成熟すると、総苞片２１が開いて種３１が表れ、花床に対応する部分（床の部分）３３が球状になり、その表面に多数の種３１が支持された状態となる。したがって、多数の種３１に繋がる冠毛（綿毛）３２は、全体としてほぼ球状になり、綿帽子３５と称される状態になる。この状態で風が吹くと、綿毛３２により種３１が引き上げられ、種３１は床の部分３３から離脱して飛散する。
【００１２】
図４に、綿帽子３５を含むキバナノバラモンジン１をドライフラワーにする一例を示している。この例では、綿帽子３５を備えたキバナノバラモンジン１を採取し、そのキバナノバラモンジン１の花茎１１の先端部１２の床の部分３３に、花茎１１を介して液状の接着剤５０を注入して床の部分３３を固める。花茎１１を介して注入された液状の接着剤５０は、比較的容易に床の部分３３の表面に滲み出て、床の部分３３の表面に位置する種子３１の一部を含めた状態で固化する。種３１が成熟した段階の床の部分３３は乾燥しつつある状態なので、接着剤５０は床の部分３３の全体に広がりやすいと考えられる。さらに、花茎１１を経由して液状の接着剤５０を注入することにより、花および種が成長する際に樹液が花茎１１からそれぞれの種子３１の部分に供給される経路を接着剤５０が広がるためとも考えられる。
【００１３】
いずれにしても、床の部分３３の表面に滲み出た接着剤５０により、床の部分３３の表面に種子３１が付いた状態で、種子３１の一部も含めて床の部分３３が固化されるので、床の部分３３に種子３１が固定される。したがって、種子３１の先に広がった綿毛３２は、茎１１の先端部１２の床の部分３３を中心に広がった状態で保存され、綿帽子３５の形状が保持される。このため、その後、さらに乾燥させることにより、茎１１の先端に綿帽子３５を備えたキバナノバラモンジン１のドライフラワーを製造できる。
【００１４】
花茎１１を介して接着剤５０を注入することにより、綿毛３２あるいは種子３１に触れたり、衝撃を与えたりすることを抑制した状況で、床の部分３３に接着剤５０を注入できる。ほぼ球状の綿帽子３５が形成されるように綿毛３２が広がった状態であると、綿毛３２あるいは種子３１に力が加わったり、風が吹くと、種子３１は容易に床の部分３３から離脱し、綿帽子３５の形状が崩れる可能性がある。したがって、この方法により接着剤５０を注入することにより、形の良い状態の綿帽子３５を備えたキバナノバラモンジン１のドライフラワーを製造できる。
【００１５】
キバナノバラモンジン１の花茎１１は中空なので、液状の接着剤５０を注入するのに適している。注入経路の断面積を確保するために、液状の接着剤５０を注入する前に、茎１１に針金などを通しても良い。茎に中空の孔がうまく形成できていない場合は、針金状のもので茎に孔を開けることが有効である。
【００１６】
注入する接着剤５０は、種子３１が床の部分３３から離脱する前に十分な接着力が得られることが望ましい。したがって、接着スピードが速い、いわゆる瞬間接着剤を用いることが望ましい。また、注入初期にはある程度の流動性を備えていることが望ましく、低粘度の液状タイプの瞬間接着剤を用いることが望ましい。さらに、２液性よりも１液性の接着剤であることが望ましい。例えば、セメダイン社、３Ｍ社などより市販されているシアノアクリレート樹脂を主成分とする、家庭用の１液性の液状瞬間接着剤を使用することができる。また、天然の植物などから得られた樹脂を中心とする天然接着剤などの他の接着剤を用いることも可能である。
【００１７】
図５に、綿帽子３５を含むキバナノバラモンジン１をドライフラワーにする他の例を示している。この例では、綿帽子３５を備えたキバナノバラモンジン１を採取し、そのキバナノバラモンジン１の花茎１１の先端部１２の床の部分３３に、注射針５１を介して液状の接着剤５０を注入して床の部分３３を固める。シリンジ５２に入れた液状の接着剤５０を注射針５１により床の部分３３に注入することにより、綿帽子３５の状態に広がった綿毛３２と干渉することなく、床の部分３３に液状の接着剤５０を確実に注入することができる。綿毛３２とシリンジ５２との部分の干渉を避けるためには、綿毛３２よりも十分に長い注射針５１を用いることが望ましい。この方法によっても、上記と同様に床の部分３３の表面に接着剤５０が滲み出た状態で接着剤５０が固まる。このため、種子３１と床の部分３３とが固定され、綿帽子３５の状態を保存することができ、綿帽子３５を備えたキバナノバラモンジン１のドライフラワーを製造できる。注射針５１により、床の部分３３の一箇所に接着剤５０を注入しても良く、床の部分３３の複数箇所に針５１を刺して接着剤５０を注入しても良い。
【００１８】
綿毛が形成される植物においても、種子の少ない植物は、針などの先に接着剤を付けて、種子と床の部分とを個々に接着することも可能である。しかしながら、種子の数が多くなるとそのような作業の過程において、風が吹いたり、衝撃が加わったりすると、種子が離脱して、球状に広がった綿帽子が崩れる可能性がある。これに対し、床の部分３３に接着剤５０を注入し、床の部分３３と共に種子３１を固めることにより、短時間で多数の種子３１を床の部分３３に固定することが可能となり、より確実に綿帽子３５を備えたドライフラワーを製造できる。
【００１９】
このように、種子３１が形成され、その種子３１に繋がった冠毛３２などの綿毛が外部に広がった状態のキバナノバラモンジン１の種子３１の近傍に液状の接着剤５０を注入して固めることにより、キバナノバラモンジン１の本体に対し種子３１が固定されたドライフラワーを歩留まり良く製造できる。このドライフラワーの製造方法によれば、接着剤５０により種子３１を植物本体に固定することにより、種子３１に直接あるいはタンポポのように実を介して付いた綿毛３２が植物本体から離脱することを防止できる。したがって、ドライフラワーにした後に綿毛３２が飛散しないので、植物本体に綿毛が付いた状態をドライフラワーとして長期間にわたり保存でき、その趣を楽しむことができる。このドライフラワーの製造方法においては、綿毛に硬化樹脂をスプレーする工程を含めても良い。しかしながら、綿毛３２に硬化樹脂をスプレーしなくても、綿毛３２が付いた状態を長期間にわたり保存できるので、綿毛３２あるいは綿帽子３５の柔らかな雰囲気あるいは感触を備えた状態のドライフラワーを提供できる。綿毛３２に適当な色の塗料をスプレーすることにより、様々な色の綿帽子を備えたドライフラワーを製造することも可能である。
【００２０】
図６および図７に、上記の方法により製造したキバナノバラモンジンの綿帽子を含むドライフラワーを写真により示している。これらの図には、さらに、同じキク科の植物であるタンポポの綿毛を備えたドライフラワーが含まれている。図６および図７の左側がキバナノバラモンジンの綿帽子を含むドライフラワーであり、右側がタンポポの綿帽子を含むドライフラワーである。タンポポの綿帽子（綿毛）においても、キバナノバラモンジンの綿帽子（綿毛）と同様に処理することにより、綿毛を床の部分に固定することができる。このように、天然では、風が吹くと飛散して姿がなくなってしまう綿帽子を、綿帽子の状態が安定したドライフラワーとして保存することが可能となり、家庭などにおいて長期間にわたり楽しむことができる。また、自然界では、飛散してしまう綿帽子を、触って楽しんだり、綿帽子が風などで揺らぐ様子を楽しむことも可能となる。さらに、このドライフラワーを含めた装飾体、例えば、ブーケ、壁掛け、飾り玉、コサージュとして、その装飾体に含まれる綿毛の趣、感触、動きなどを楽しむことができる。
【図面の簡単な説明】
【００２１】
【図１】キバナノバラモンジンの綿帽子を含む装飾体を示す写真。
【図２】キバナノバラモンジンの花の概略構成を示す図。
【図３】キバナノバラモンジンの綿帽子の概略構成を示す断面図。
【図４】キバナノバラモンジンの綿帽子をドライフラワーにする一例を示す図。
【図５】キバナノバラモンジンの綿帽子をドライフラワーにする他の例を示す図。
【図６】キバナノバラモンジンの綿帽子を含むドライフラワーと、タンポポの綿帽子を含むドライフラワーとを並べて正面から示す写真。
【図７】キバナノバラモンジンの綿帽子を含むドライフラワーと、タンポポの綿帽子を含むドライフラワーとを並べて上方から示す写真。
【符号の説明】
【００２２】
１    キバナノバラモンジン  １０    花
１１  花茎、  １２  花茎の先端部、  １３  小花
２０  花床
３１  種子、  ３２  綿毛（冠毛）、  ３３  種子が付いた床の部分
３５  綿帽子
５０  接着剤
【図２】
0003125118.tif 000003
【図３】
0003125118.tif 000004
【図４】
0003125118.tif 000005
【図５】
0003125118.tif 000006
【図１】
0003125118.tif 000007
【図６】
0003125118.tif 000008
【図７】
0003125118.tif 000009